(57)【要約】  【課題】  ユーザがコンテンツデータの属性を基に所望のコンテンツデータを容易に選択できるプログラムを提供する。  【解決手段】  ＭＯＤＥキー２５を押圧すると第１階層の選曲画面Ｄ１＿１，Ｄ１＿２，Ｄ１＿３が切り換えて表示される。第１階層の選曲画面上で十字右キー２７ａを押圧すると、その下層の属性の選曲画面が表示される。  【選択図】  図５
2006018878.tif 000002
【特許請求の範囲】
【請求項１】
複数の異なる属性の各々について当該属性を基にコンテンツデータを分類するための複数の項目が規定され、複数のコンテンツデータの各々が前記複数の属性の各々について何れの前記項目に属するかが規定されている場合に、前記属性を基に前記コンテンツデータを選択させる画面を表示する処理をコンピュータに実行させるプログラムであって、
前記複数の異なる属性の各々について規定され、当該属性について規定された前記複数の項目を表示して選択させる第１の画面のうち、第１の選択指示に応じて選択された前記第１の画面を表示する第１の手順と、
前記第１の手順で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を表示する第２の手順と
を前記コンピュータに実行させるプログラム。
【請求項２】
前記第２の手順で前記第２の画面内に表示した前記複数の項目のうち選択された前記項目について、当該選択された項目に属する前記コンテンツデータを選択させる第３の画面を表示する第３の手順と、
前記第３の手順で表示した前記第３の画面を基に選択された前記コンテンツデータを、再生する第４の手順と
をさらに有する請求項１に記載のプログラム。
【請求項３】
再生指示を受けると、当該再生指示を受けたときに前記第１の画面または前記第２の画面内に表示している前記項目に応じて規定された再生順序でコンテンツデータを選択し、当該選択したコンテンツデータを再生する第５の手順
を有する請求項１に記載のプログラム。
【請求項４】
前記第５の手順は、前記再生順序が相互に異なる複数の再生モードのうち選択された再生モードに対応した再生順序を基に、前記コンテンツデータを選択して再生する
請求項３に記載のプログラム。
【請求項５】
前記第５の手順は、カ−ソルが位置する前記項目に属する所定の単数の前記コンテンツデータを選択して再生する
請求項４に記載のプログラム。
【請求項６】
前記第５の手順は、カ−ソルが位置する前記項目から順に、当該項目と同じ前記第１の画面または前記第２の画面に表示された項目を選択し、選択した項目に属する前記コンテンツデータを順に再生する
請求項４に記載のプログラム。
【請求項７】
前記第５の手順は、前記選択された前記項目の下層の前記項目に属する全てのコンテンツデータを対象として、コンテンツデータをシャッフルして選択して再生する
請求項４に記載のプログラム。
【請求項８】
前記第５の手順は、前記選択された前記項目の下層の全ての前記項目をシャッフルして選択し、当該選択した項目に属する前記コンテンツデータを順に選択して再生する
請求項４に記載のプログラム。
【請求項９】
複数の異なる属性の各々について当該属性を基にコンテンツデータを分類するための複数の項目が規定され、複数のコンテンツデータの各々が前記複数の属性の各々について何れの前記項目に属するかが規定されている場合に、前記属性を基に前記コンテンツデータを選択させる画面をディスプレイに表示するデータ処理方法であって、
前記複数の異なる属性の各々について規定され、当該属性について規定された前記複数の項目を表示して選択させる第１の画面のうち、第１の選択指示に応じて選択された前記第１の画面を前記ディスプレイに表示する第１の工程と、
前記第１の工程で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の工程と
を有するデータ処理方法。
【請求項１０】
複数の異なる属性の各々について当該属性を基にコンテンツデータを分類するための複数の項目が規定され、複数のコンテンツデータの各々が前記複数の属性の各々について何れの前記項目に属するかが規定されている場合に、前記属性を基に前記コンテンツデータを選択させる画面をディスプレイに表示する電子機器であって、
前記複数の異なる属性の各々について規定され、当該属性について規定された前記複数の項目を表示して選択させる第１の画面のうち、第１の選択指示に応じて選択された前記第１の画面を前記ディスプレイに表示する第１の処理と、前記第１の処理で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の処理とを行う処理手段
を有する電子機器。
【請求項１１】
複数の異なる属性の各々について当該属性を基にコンテンツデータを分類するための複数の項目が規定され、複数のコンテンツデータの各々が前記複数の属性の各々について何れの前記項目に属するかが規定されている場合に、前記複数のコンテンツデータを記憶する記憶手段と、
ディスプレイと、
前記属性を基に、前記記憶手段に記憶されたコンテンツデータを選択させる画面を前記ディスプレイに表示し、前記画面で選択された前記コンテンツデータを再生する処理を行う処理手段と
を有し、
前記処理手段は、前記複数の異なる属性の各々について規定され、当該属性について規定された前記複数の項目を表示して選択させる第１の画面のうち、第１の選択指示に応じて選択された前記第１の画面を前記ディスプレイに表示する第１の処理と、前記第１の処理で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の処理とを行う
コンピュータ。
【請求項１２】
再生装置である
請求項１１に記載のコンピュータ。
【請求項１３】
携帯型再生装置である
請求項１２に記載のコンピュータ。
【発明の詳細な説明】
【技術分野】
【０００１】
本発明は、選択画面を基にコンテンツデータを選択させるプログラム、データ処理方法およびコンピュータに関する。
【背景技術】
【０００２】
近年、記録メディアの大容量化、並びに音楽、動画、静止画などの圧縮技術の発達により、携帯型再生装置などのコンピュータ内の記録メディアに膨大な数のコンテンツデータを記憶できる。
このように記録メディアに記憶できるコンテンツデータの数が増えるに従い、ユーザが希望するコンテンツデータを画面上で効率的に検索して再生できるシステムが必要である。
このようなシステムとしては、コンテンツデータが楽曲データである場合に、各楽曲データの属性であるジャンル、アーティスト、アルバムなどを基に、楽曲データを画面上に階層的にツリー構造で管理し、ツリーの最上層から順に属性を選択して最下層に位置する楽曲データを選択させるものがある。
【０００３】
【特許文献１】特開２００１−７６４１５号公報
【発明の開示】
【発明が解決しようとする課題】
【０００４】
上述した従来のシステムでは、上記ツリー構造の層として用いる属性の数を増やせば、最下層の属性に属するコンテンツデータの数を少なくできるが、画面上で階層を移動するための操作回数が増加し、操作が煩雑になるという問題がある。
【０００５】
本発明は上述した従来技術の問題点を解決するために、ユーザがコンテンツデータの属性を基に所望のコンテンツデータを画面上で容易に選択できるプログラム、データ処理方法およびコンピュータを提供することを目的とする。
【課題を解決するための手段】
【０００６】
上述した従来技術の問題点を解決し、上述した目的を達成するため、第１の発明のプログラムは、複数の異なる属性の各々について当該属性を基にコンテンツデータを分類するための複数の項目が規定され、複数のコンテンツデータの各々が前記複数の属性の各々について何れの前記項目に属するかが規定されている場合に、前記属性を基に前記コンテンツデータを選択させる画面を表示する処理をコンピュータに実行させるプログラムであって、前記複数の異なる属性の各々について規定され、当該属性について規定された前記複数の項目を表示して選択させる第１の画面のうち、第１の選択指示に応じて選択された前記第１の画面を表示する第１の手順と、前記第１の手順で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を表示する第２の手順とを前記コンピュータに実行させる。
【０００７】
第１の発明のプログラムの作用は以下のようになる。
先ず、コンピュータが、第１の発明のプログラムを実行する。
そして、前記コンピュータが、当該プログラムの第１の手順に従って、前記複数の異なる属性の各々について規定され、当該属性について規定された前記複数の項目を表示して選択させる第１の画面のうち、第１の選択指示に応じて選択された前記第１の画面を表示する。
次に、前記コンピュータが、第２の手順に従って、前記第１の手順で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を表示する。
【０００８】
第２の発明のデータ処理方法は、複数の異なる属性の各々について当該属性を基にコンテンツデータを分類するための複数の項目が規定され、複数のコンテンツデータの各々が前記複数の属性の各々について何れの前記項目に属するかが規定されている場合に、前記属性を基に前記コンテンツデータを選択させる画面をディスプレイに表示するデータ処理方法であって、前記複数の異なる属性の各々について規定され、当該属性について規定された前記複数の項目を表示して選択させる第１の画面のうち、第１の選択指示に応じて選択された前記第１の画面を前記ディスプレイに表示する第１の工程と、前記第１の工程で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の工程とを有する。
【０００９】
第３の発明のコンピュータは、複数の異なる属性の各々について当該属性を基にコンテンツデータを分類するための複数の項目が規定され、複数のコンテンツデータの各々が前記複数の属性の各々について何れの前記項目に属するかが規定されている場合に、前記属性を基に前記コンテンツデータを選択させる画面をディスプレイに表示するコンピュータであって、前記複数の異なる属性の各々について規定され、当該属性について規定された前記複数の項目を表示して選択させる第１の画面のうち、第１の選択指示に応じて選択された前記第１の画面を前記ディスプレイに表示する第１の処理と、前記第１の処理で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の処理とを行う処理手段を有する。
【００１０】
第３の発明のコンピュータの作用は以下のようになる。
先ず、処理手段が、前記複数の異なる属性の各々について規定され、当該属性について規定された前記複数の項目を表示して選択させる第１の画面のうち、第１の選択指示に応じて選択された前記第１の画面を前記ディスプレイに表示する第１の処理を行う。
次に、前記処理手段が、前記第１の処理で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の処理とを行う。
【００１１】
第４の発明のコンピュータは、複数の異なる属性の各々について当該属性を基にコンテンツデータを分類するための複数の項目が規定され、複数のコンテンツデータの各々が前記複数の属性の各々について何れの前記項目に属するかが規定されている場合に、前記複数のコンテンツデータを記憶する記憶手段と、ディスプレイと、前記属性を基に、前記記憶手段に記憶されたコンテンツデータを選択させる画面を前記ディスプレイに表示し、前記画面で選択された前記コンテンツデータを再生する処理を行う処理手段とを有し、前記処理手段は、前記複数の異なる属性の各々について規定され、当該属性について規定された前記複数の項目を表示して選択させる第１の画面のうち、第１の選択指示に応じて選択された前記第１の画面を前記ディスプレイに表示する第１の処理と、前記第１の処理で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の処理とを行う。
【００１２】
第４の発明のコンピュータの作用は以下のようになる。
先ず、前記処理手段が、前記複数の異なる属性の各々について規定され、当該属性について規定された前記複数の項目を表示して選択させる第１の画面のうち、第１の選択指示に応じて選択された前記第１の画面を前記ディスプレイに表示する第１の処理を行う。
次に、前記処理手段が、前記第１の処理で前記第１の画面内に表示した前記複数の項目のうち第２の選択指示で選択された前記項目について、当該選択された項目に属する前記コンテンツデータを当該選択された項目に対応した前記属性以外の前記属性を基に分類するための複数の項目を表示して選択させる第２の画面を前記ディスプレイに表示する第２の処理を行う。
【発明の効果】
【００１３】
本発明によれば、ユーザがコンテンツデータの属性を基に所望のコンテンツデータを画面上で容易に選択できるプログラム、データ処理方法およびコンピュータを提供することができる。
【発明を実施するための最良の形態】
【００１４】
以下、本発明の実施形態を説明する。
先ず、本実施形態の構成要素と、本発明の構成要素との対応関係を説明する。
図１に示すプログラムＰＲＧが第１の発明のプログラムに対応している。
また、ＨＤＤ１３に記憶されている楽曲データが、本発明のコンテンツデータに対応している。
また、後述するアーティスト、アルバム、ジャンル、グループ、ニュートラックおよびブックマークの各々が本発明の属性に対応している。
図５および図６等に示す選曲画面Ｄ１＿１〜Ｄ１＿５が本発明の第１の画面に対応し、選曲画面Ｄ１＿１１，Ｄ１＿３１が本発明の第２の画面に対応している。
また、選曲画面Ｄ１＿１２，Ｄ１＿２１，Ｄ１＿３２，Ｄ１＿４１，Ｄ１＿５１が本発明の第３の画面に対応している。
【００１５】
図９に示す処理が第１の発明の第１の手順に対応し、図１０に示す処理が第１の発明の第２の手順に対応している。
また、図５および図６に示す再生画面Ｄ３を表示する処理が第１の発明の第３の手順に対応し、再生画面Ｄ３で選択された楽曲データを再生する処理が第１の発明の第４の手順に対応している。
また、図１１および図１２に示す処理が、第１の発明の第５の手順に対応している。
【００１６】
また、図１に示すＣＰＵ１７が第３および第４の発明の処理手段に対応している。
また、図１に示すＨＤＤ１３が、第４の発明の記憶手段に対応している。
また、図１に示すＬＣＤパネル１４が第２、第３および第４の発明のディスプレイに対応している。
【００１７】
以下、本発明の実施形態に係わるデータ処理装置について説明する。
図１は、本発明の実施形態に係わるデータ処理装置１の構成図である。
データ処理装置１は、例えば、携帯型のオーディオ再生装置である。
図１に示すように、データ処理装置１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、ＣＰＵ(Central Processing Unit) １７およびオーディオ出力回路１８を有する。
ＵＳＢインタフェース１１、ＳＤＲＡＭ１２、ＨＤＤ１３、フラッシュメモリ１６、ＣＰＵ１７およびオーディオ出力回路１８は、例えば、データ線１０を介して接続されている。
【００１８】
ＵＳＢインタフェース１１は、パーソナルコンピュータ３と接続され、パーソナルコンピュータ３との間でデータ入出力を行う。
ＳＤＲＡＭ１２は、ＣＰＵ１７の処理に係わるデータ等を一時的に記憶する。
【００１９】
ＨＤＤ１３は、圧縮された楽曲データ（音楽データ）を記憶する。
当該楽曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive Transfrom Acoustic Coding)３等で圧縮された約１００００万曲（コンパクトディスク７００枚分）の楽曲データを記憶可能である。
ＨＤＤ１３に記憶された１曲分の楽曲データ（以下、単に楽曲データとも記す）の各々には、そのア−ティスト、アルバム、ジャンル、グループ、ニュートラック、ブックマークなどに関する属性データが付されている。
ア−ティスト属性データは、楽曲データの楽曲を演奏等するアーティストを示している。
アルバム属性データは、楽曲データが属するアルバムを示している。
ジャンル属性データは、楽曲データの楽曲が属するジャンルを示している。
グループ属性データは、パーソナルコンピュータ３上で規定されたグループのうち何れのグループに当該楽曲データが属するかを示している。
ニュートラック属性データは、データ処理装置１がパーソナルコンピュータ３に前回接続したときに、パーソナルコンピュータ３から入力した楽曲データであるか否かを示している。
ブックマーク属性データは、ユーザによってブックマークが付された楽曲データであるか否かを示している。
【００２０】
ＬＣＤパネル１４は、図２（Ｂ）に示すように、データ処理装置１の筐体の正面に設けられている。
ＬＣＤパネル１４には、ＣＰＵ１７によって種々の画面が表示される。
ＬＣＤパネル１４に表示される主な画面としては、例えば、図３に示すように、選曲画面Ｄ１、設定画面Ｄ２および再生画面Ｄ３があり、ユーザのキー操作に応じてこれらの画面が切り替わる（遷移する）。
【００２１】
選曲画面Ｄ１は、例えば、図４（Ａ）に示すように、アーティスト属性データに関して複数の項目（例えば、アーティストＡ，Ｂ，Ｃ・・・）を表示し、項目をユーザに選択させる。
選曲画面Ｄ１は、後述するように種々の属性データ毎に規定され、項目を選択することでその下層の選曲画面Ｄ１に切り替わる。
設定画面Ｄ２は、例えば、図４（Ｂ）に示すように、「Ｒｅｐｅａｔ」、「Ｐｌａｙ  Ｍｏｄｅ」、「Ｓｏｕｎｄ」、「ＡＶＬＳ」および「Ｂｅｅｐ」などの項目を表示する。「Ｐｌａｙ  Ｍｏｄｅ」は、後述するように、再生モードを選択する際に指定（選択）される。
なお、設定画面Ｄ２を画面下方にスクロールすることで、設定画面Ｄ２には、上記の他、「Ｃｏｎｔｒａｓｔ」、「Ｂａｃｋｌｉｇｈｔ」、「Ｒｅｖｅｒｓｅ  Ｄｉｓｐｌａｙ」、「Ｌａｎｇｕａｇｅ」および「Ｆｒｏｍａｔ」などの項目が表示される。
再生画面Ｄ３は、図４（Ｃ）に示すように、再生対象として選択された楽曲データのタイトル、アルバム、アーティスト、ジャンルなどの属性データ、再生済の割合などのデータを表示する。
【００２２】
入力デバイス１５は、データ処理装置１の筐体に設けられ、ユーザによって操作される種々のキーである。
入力デバイス１５としては、例えば、図２（Ａ），図２（Ｂ），図２（Ｃ）に示すように、リモコン端子２９、ＭＥＮＵキー２４、ＭＯＤＥキー２５、ＶＯＬＵＭＥキー２６、十字キー２７およびＨＯＬＤキー２８がある。
十字キー２７には、十字右キー２７ａ，十字左キー２７ｂ、十字上キー２７ｃ、十字下キー２７ｄおよび十字決定キー２７ｅがある。
十字右キー２７ａおよび十字左キー２７ｂは、例えば、後述するように、選曲画面Ｄ１の階層を切り換える際に用いられる。また、曲の頭出しや早送り／早戻しにも用いられる。
十字上キー２７ｃおよび十字下キー２７ｄは、選曲画面Ｄ１および設定画面Ｄ２上でカーソルを上下方向に移動させるために用いられる。また、再生画面Ｄ３から選曲画面Ｄ１＿１２，Ｄ１＿２１，Ｄ１＿３２，Ｄ１＿４１，Ｄ１＿５１に切り替える際にも用いられる。
十字決定キー２７ｅは、カーソルが位置する項目を決定したり、再生指示を入力するために用いられる。
【００２３】
フラッシュメモリ１６は、例えば、ＣＰＵ１７の動作を規定したプログラムＰＲＧを記憶する。
ＣＰＵ１７は、フラッシュメモリ１６から読み出したプログラムＰＲＧを基に、データ処理装置１の動作を統括的に制御する。
ＣＰＵ１７は、図４に示す選曲画面Ｄ１、設定画面Ｄ２および再生画面Ｄ３をＬＣＤパネル１４に表示する処理を行う。
また、ＣＰＵ１７は、選択された楽曲データをＨＤＤ１３から読み出して復号し、これを再生する処理を行う。
【００２４】
オーディオ出力回路１８は、ＣＰＵ１７が復号した楽曲データに応じたオーディオ信号をヘッドフォン端子２１に出力する。
【００２５】
以下、選曲画面Ｄ１について説明する。
選曲画面Ｄ１として、複数の異なる属性（楽曲データに関しての属性）の各々について規定され、当該属性について規定された複数の項目を表示して選択させる第１階層の複数の選曲画面が規定されている。
また、選曲画面Ｄ１として、上記第１階層の選曲画面の各々について、第２階層以下の選曲画面が規定されている。
第２階層以下の選曲画面は、その上層の選曲画面の各項目毎に規定され、当該項目に対応した前記属性以外の前記属性を基に、当該項目に属する楽曲データを分類するための複数の項目を有する。
なお、第１の階層の選曲画面Ｄ１を[Depth1]と記し、第２の階層の選曲画面Ｄ１を[Depth2]と記し、第３の階層の選曲画面Ｄ１を[Depth3]とも記す。
【００２６】
先ず、第１階層の選曲画面Ｄ１について説明する。
第１の階層の選曲画面Ｄ１は、例えば、図５および図６に示す選曲画面Ｄ１＿１，Ｄ１＿２，Ｄ１＿３，Ｄ１＿４，Ｄ１＿５である。
ここで、選曲画面Ｄ１＿１Ｄ１＿２，Ｄ１＿３，Ｄ１＿４，Ｄ１＿５は、それぞれアーティスト(Artist)、アルバム(Album) 、ジャンル(Genre) 、グループ(Group) 、それ以外(Others)の楽曲データの属性を基に楽曲データを分類して表示するための画面である。
【００２７】
例えば、ＬＣＤパネル１４に設定画面Ｄ２などが表示されている状態で、図２（Ａ）に示すＭＯＤＥキー２５をユーザが押圧（押し込むまたは押下）すると、図１に示すＣＰＵ１７は、ＭＯＤＥキー２５からの操作信号を基に、図５に示す選曲画面Ｄ１＿１をＬＣＤパネル１４に表示する。
選曲画面Ｄ１＿１は、アーティストを属性として楽曲データを分類する複数の項目（アーティストＡ，Ｂ，Ｃ等）を表示している。
このとき、ＣＰＵ１７は、選曲画面Ｄ１＿１以外の第１階層の選曲画面をＬＣＤパネル１４に表示してもよい。
【００２８】
続いてＭＯＤＥキー２５をユーザが押圧すると、ＣＰＵ１７は、ＭＯＤＥキー２５からの操作信号を基に、図５に示す選曲画面Ｄ１＿２をＬＣＤパネル１４に表示する。
選曲画面Ｄ１＿２は、アルバムを属性として楽曲データを分類する複数の項目（アルバムＡ，Ｂ，Ｃ等）を表示している。
続いてＭＯＤＥキー２５をユーザが押圧すると、ＣＰＵ１７は、ＭＯＤＥキー２５からの操作信号を基に、図５に示す選曲画面Ｄ１＿３をＬＣＤパネル１４に表示する。
選曲画面Ｄ１＿３は、ジャンルを属性として楽曲データを分類する複数の項目（ＣＬＡＳＳＩＣ，Ｊ−ＰＯＰ，ＲＯＣＫ等）を表示している。
【００２９】
続いてＭＯＤＥキー２５をユーザが押圧すると、ＣＰＵ１７は、ＭＯＤＥキー２５からの操作信号を基に、図６に示す選曲画面Ｄ１＿４をＬＣＤパネル１４に表示する。
選曲画面Ｄ１＿４は、パーソナルコンピュータ３で規定されたグループを属性として楽曲データを分類する複数の項目（グループＡ，Ｂ，Ｃ等）を表示している。
続いてＭＯＤＥキー２５をユーザが押圧すると、ＣＰＵ１７は、ＭＯＤＥキー２５からの操作信号を基に、図６に示す選曲画面Ｄ１＿５をＬＣＤパネル１４に表示する。
選曲画面Ｄ１＿５は、その他の属性、例えば、パーソナルコンピュータ３から新たに入力したトラック（楽曲データ）であることを示す「Ｎｅｗ  Ｔｒａｃｋｓ」、ユーザによってブックマークが付されたことを示す「Ｂｏｏｋｍａｒｋ」を属性として楽曲データを分類する複数の項目を表示している。
なお、本実施形態において、トラックは、最小単位である楽曲データを示す。
続いてＭＯＤＥキー２５をユーザが押圧すると、ＣＰＵ１７は、ＭＯＤＥキー２５からの操作信号を基に、図５に示す選曲画面Ｄ１＿１をＬＣＤパネル１４に表示する。
【００３０】
以下、図５および図６に示す第１階層の選曲画面Ｄ１＿１〜Ｄ１＿５から第２階層および第３階層の選曲画面、並びに再生画面Ｄ３に切り換える（移行する）場合を説明する。
ＣＰＵ１７は、選曲画面を表示中に図２（Ｂ）に示す十字右キー２７ａが押圧されたことを検出すると、当該表示中の選曲画面で選択された項目の下層の項目の選曲画面をＬＣＤパネル１４に表示する。
また、ＣＰＵ１７は、選曲画面を表示中に図２（Ｂ）に示す十字左キー２７ｂが押圧されたことを検出すると、当該表示中の選曲画面の上層の項目の選曲画面をＬＣＤパネル１４に表示する。
【００３１】
ＬＣＤパネル１４に図５に示す選曲画面Ｄ１＿１を表示しているときに、十字上キー２７ｃおよび十字下キー２７ｄを操作（押圧）してカーソルを画面上下方向に移動し、選択する項目（アーティスト名）にカーソルを位置させ、十字右キー２７ａを押圧することで項目を選択すると、ＣＰＵ１７は、キーの操作信号に基づいて、第２階層の選曲画面Ｄ１＿１１をＬＣＤパネル１４に表示する。
第２の階層の選曲画面Ｄ１＿１１には、上記選択した項目に属する項目（選択した項目の下層の項目）が表示される。
すなわち、選曲画面Ｄ１＿１１には、上記選択した項目であるアーティストＢに属するアルバムＡ，Ｂ，Ｃの項目が表示される。
【００３２】
また、ＬＣＤパネル１４に図５に示す第２の階層の選曲画面Ｄ１＿１１を表示しているときに、十字上キー２７ｃおよび十字下キー２７ｄを操作（押圧）してカーソルを画面上下方向に移動し、選択する項目（アルバム名）にカーソルを位置させ、十字右キー２７ａを押圧することで項目を選択すると、ＣＰＵ１７は、キーの操作信号に基づいて、第３階層の選曲画面Ｄ１＿１２をＬＣＤパネル１４に表示する。
第３階層の選曲画面Ｄ１＿１２には、上記選択した項目に属する項目（選択した項目の下層の項目）が表示される。
すなわち、第３階層の選曲画面Ｄ１＿１２には、上記選択した項目であるアルバムＢに属するタイトルＡ，Ｂ，Ｃが表示される。ここで、タイトルは、楽曲名を示している。
【００３３】
また、ＬＣＤパネル１４に図５に示す第３階層の選曲画面Ｄ１＿１２を表示しているときに、十字上キー２７ｃおよび十字下キー２７ｄを操作（押圧）してカーソルを画面上下方向に移動し、選択する項目（タイトル名）にカーソルを位置させ、十字決定キー２７ｅを押圧することで項目を選択すると、ＣＰＵ１７は、キーの操作信号に基づいて、当該タイトルに関する前述した再生画面Ｄ３をＬＣＤパネル１４に表示すると共に、当該タイトルの楽曲データを再生する。
【００３４】
ＬＣＤパネル１４に図５に示す第１階層の選曲画面Ｄ１＿２を表示しているときに、十字上キー２７ｃおよび十字下キー２７ｄを操作（押圧）してカーソルを画面上下方向に移動し、選択する項目（アルバム名）にカーソルを位置させ、十字右キー２７ａを押圧することで項目を選択すると、ＣＰＵ１７は、キーの操作信号に基づいて、前述した選曲画面Ｄ１＿１２をＬＣＤパネル１４に表示する。
選曲画面Ｄ１＿１２から再生画面Ｄ３への切り換えは、前述したものと同様である。
【００３５】
ＬＣＤパネル１４に図５に示す第１階層の選曲画面Ｄ１＿３を表示しているときに、十字上キー２７ｃおよび十字下キー２７ｄを操作（押圧）してカーソルを画面上下方向に移動し、選択する項目（ジャンル名）にカーソルを位置させ、十字右キー２７ａを押圧することで項目を選択すると、ＣＰＵ１７は、キーの操作信号に基づいて、第２階層の選曲画面Ｄ１＿３１をＬＣＤパネル１４に表示する。
第２階層の選曲画面Ｄ１＿３１には、上記選択した項目に属する項目（選択した項目の下層の項目）が表示される。
すなわち、第２階層の選曲画面Ｄ１＿３１には、上記選択した項目であるジャンル（Ｊ−ＰＯＰ）に属するアーティストＡ，Ｂ，Ｃの項目が表示される。
【００３６】
また、ＬＣＤパネル１４に図５に示す第２階層の選曲画面Ｄ１＿３１を表示しているときに、十字上キー２７ｃおよび十字下キー２７ｄを操作（押圧）してカーソルを画面上下方向に移動し、選択する項目（アーティスト名）にカーソルを位置させ、十字右キー２７ａを押圧することで項目を選択すると、ＣＰＵ１７は、キーの操作信号に基づいて、第３階層の選曲画面Ｄ１＿３２をＬＣＤパネル１４に表示する。
第３階層の選曲画面Ｄ１＿３２には、上記選択した項目に属する項目（選択した項目の下層の項目）が表示される。
すなわち、第３階層の選曲画面Ｄ１＿３２には、上記選択した項目であるアーティストＢに属するタイトルＡ，Ｂ，Ｃが表示される。
【００３７】
また、ＬＣＤパネル１４に図５に示す第３階層の選曲画面Ｄ１＿３２を表示しているときに、十字上キー２７ｃおよび十字下キー２７ｄを操作（押圧）してカーソルを画面上下方向に移動し、選択する項目（タイトル名）にカーソルを位置させ、十字決定キー２７ｅを押圧することで項目を選択すると、ＣＰＵ１７は、キーの操作信号に基づいて、当該タイトルに関する前述した再生画面Ｄ３をＬＣＤパネル１４に表示すると共に、当該タイトルの楽曲データを再生する。
【００３８】
ＬＣＤパネル１４に図６に示す第１階層の選曲画面Ｄ１＿４を表示しているときに、十字上キー２７ｃおよび十字下キー２７ｄを操作（押圧）してカーソルを画面上下方向に移動し、選択する項目（グループ名）にカーソルを位置させ、十字右キー２７ａを押圧することで項目を選択すると、ＣＰＵ１７は、キーの操作信号に基づいて、第２の階層の選曲画面Ｄ１＿４１をＬＣＤパネル１４に表示する。
第２階層の選曲画面Ｄ１＿４１には、上記選択した項目に属する項目（選択した項目の下層の項目）が表示される。
すなわち、第２の階層の選曲画面Ｄ１＿４１には、上記選択した項目であるグループＢに属するタイトルＡ，Ｂ，Ｃが表示される。
【００３９】
また、ＬＣＤパネル１４に図６に示す第２階層の選曲画面Ｄ１＿４１を表示しているときに、十字上キー２７ｃおよび十字下キー２７ｄを操作（押圧）してカーソルを画面上下方向に移動し、選択する項目（タイトル名）にカーソルを位置させ、十字決定キー２７ｅを押圧することで項目を選択すると、ＣＰＵ１７は、キーの操作信号に基づいて、当該タイトルに関する前述した再生画面Ｄ３をＬＣＤパネル１４に表示すると共に、当該タイトルの楽曲データを再生する。
【００４０】
ＬＣＤパネル１４に図６に示す第１階層の選曲画面Ｄ１＿５を表示しているときに、十字上キー２７ｃおよび十字下キー２７ｄを操作（押圧）してカーソルを画面上下方向に移動し、選択する項目（「Ｎｅｗ  Ｔｒａｃｋ」、「Ｂｏｏｋｍａｒｋ」）にカーソルを位置させ、十字右キー２７ａを押圧することで項目を選択すると、ＣＰＵ１７は、キーの操作信号に基づいて、第２の階層の選曲画面Ｄ１＿５１をＬＣＤパネル１４に表示する。
第２階層の選曲画面Ｄ１＿５１には、上記選択した項目に属するタイトル名が表示される。
すなわち、図６に示す例では、第２の階層の選曲画面Ｄ１＿４１には、上記選択した項目である「Ｂｏｏｋｍａｒｋ」に属するタイトルＡ，Ｂ，Ｃが表示される。
【００４１】
また、ＬＣＤパネル１４に図６に示す第２階層の選曲画面Ｄ１＿５１を表示しているときに、十字上キー２７ｃおよび十字下キー２７ｄを操作（押圧）してカーソルを画面上下方向に移動し、選択する項目（タイトル名）にカーソルを位置させ、十字決定キー２７ｅを押圧することで項目を選択すると、ＣＰＵ１７は、キーの操作信号に基づいて、当該タイトルに関する前述した再生画面Ｄ３をＬＣＤパネル１４に表示すると共に、当該タイトルの楽曲データを再生する。
【００４２】
上述した階層の遷移を図７にまとめて示す。
【００４３】
次に、再生モードの選択について説明する。
図２（Ａ）に示すＭＥＮＵキー２４をユーザが押圧すると、ＣＰＵ１７が操作信号を基に、図４（Ｂ）に示す設定画面Ｄ２をＬＣＤパネル１４に表示する。
そして、図４に示すように、ユーザが十字上キー２７ｃおよび十字下キー２７ｄを操作（押圧）して設定画面Ｄ２内でカーソルを画面上下方向に移動し、「Ｐｌａｙ  Ｍｏｄｅ」にカーソルを位置させ、十字決定キー２７ｅまたは十字右キー２７ａを押圧する。
ＣＰＵ１７は、上記十字決定キー２７ｅの押圧を操作信号に基づいて検出し、図８に示すように、再生モード選択画面Ｄ１０をＬＣＤパネル１４に表示する。
再生モード選択画面Ｄ１０には、図８に示すように、通常再生（Ｎｏｒｍａｌ）、１トラック再生（１Ｔｒａｃｋ）、ユニット再生（Ｐｌａｙ  Ｕｎｉｔ）、トラックシャッフル再生（Ｔｒａｃｋ  ＳＨＵＦ）およびユニットシャッフル再生（Ｕｎｉｔ  ＳＨＵＦ）が再生モードの項目として表示される。
【００４４】
ユーザが十字上キー２７ｃおよび十字下キー２７ｄを操作（押圧）して再生モード選択画面Ｄ１０内でカーソルを画面上下方向に移動し、選択する再生モードの項目にカーソルを位置させ、十字決定キー２７ｅを押圧する。
これにより、ＣＰＵ１７は、カーソル位置の再生モードを選択する。
【００４５】
ＣＰＵ１７は、選曲画面Ｄ１を表示中に、十字決定キー２７ｅが押圧されると、そのときに選曲画面Ｄ１に表示している項目、並びに上記選択された再生モードに基づいて、ＨＤＤ１３に記憶された楽曲データを所定の再生順序で選択して再生する。
このとき、ＣＰＵ１７は、上記選択された楽曲データを図１に示すＨＤＤ１３から読み出して復号（デコード）し、これをオーディオ出力回路１８に出力し、オーディオ出力回路１８がオーディオデータに応じたオーディオ信号をヘッドフォン端子２１に出力する。
【００４６】
以下、上述した各再生モードに基づいて再生処理について説明する。
なお、本実施形態において、選曲画面に表示された複数の項目を再生単位（いわゆるプレイユニット）として扱う。当該再生単位は、再生を開始した選曲画面によって決定される。
上記再生単位は、選曲画面上でカーソルが位置する項目に属するものとしてもよい。
また、上述したプレイユニットは、従来のツリー構造に基づいてコンテンツデータを管理する場合に適用してもよい。
〔通常再生（Ｎｏｒｍａｌ）〕
ＣＰＵ１７は、再生モードとして通常再生が選択され、且つ選曲画面Ｄ１をＬＣＤパネル１４に表示中に、十字決定キー２７ｅが押圧されたことを検出すると、再生対象となったトラックを１回ずつトラック番号順に再生する通常再生を行う。
ＣＰＵ１７は、選曲画面Ｄ１上で選択した（カーソル位置にある）項目の下層にある項目を次々に再生していき、最下位の項目を再生し終えると、停止する
ＣＰＵ１７は、選択した項目がグループ（アーティスト、アルバム等）の場合は、項目に属するグループ内のトラックを順に再生し、グループ内の全トラック再生終了後は次のグループの最初のトラックから順次再生する
また、ＣＰＵ１７は、通常再生中に他の再生モードに切り替えられた場合は以下の処理を行う。
すなわち、ＣＰＵ１７は、１トラック再生に切り替えられた場合は、再生中のトラックを再生し終わったら停止する。
また、ＣＰＵ１７は、ユニット再生に切り替えられた場合は、再生中のトラックを含む項目内の全トラックをユニットとし、ユニット内の全トラックを最後まで再生する。
また、ＣＰＵ１７は、トラックシャッフル再生に切り替えられた場合は、全トラックをシャッフル再生する。
また、ＣＰＵ１７は、ユニットシャッフル再生に切り替えられた場合は、再生中のトラックを含むユニット内の全曲をシャッフル再生する。
【００４７】
また、ＣＰＵ１７は、図５に示す選曲画面Ｄ１＿１を表示中に十字決定キー２７ｅが押圧された場合は、カーソル位置のアーティストの最初のアルバムの最初の曲からトラック順に再生し、最後のアーティストの最後の曲を再生し終えて停止する。
また、ＣＰＵ１７は、図５に示す選曲画面Ｄ１＿１１を表示中に十字決定キー２７ｅが押圧された場合は、カーソル位置のアルバムの最初の曲からトラック順に再生し、最後のアルバムの最後の曲を再生し終えて停止する。
また、ＣＰＵ１７は、図５に示す選曲画面Ｄ１＿１２を表示中に十字決定キー２７ｅが押圧された場合は、カーソル位置の曲からトラック順に再生し、最後の曲を再生し終えて停止する。
【００４８】
また、ＣＰＵ１７は、図５に示す選曲画面Ｄ１＿２を表示中に十字決定キー２７ｅが押圧された場合は、カーソル位置のアルバムの最初の曲からトラック順に再生し、最後のアルバムの最後の曲を再生し終えて停止する。
また、ＣＰＵ１７は、図５に示す選曲画面Ｄ１＿１２を表示中に十字決定キー２７ｅが押圧された場合は、カーソル位置の曲からトラック順に再生し、最後の曲を再生し終えて停止する。
【００４９】
また、ＣＰＵ１７は、図５に示す選曲画面Ｄ１＿３を表示中に十字決定キー２７ｅが押圧された場合は、カーソル位置のジャンルの最初のアーティストの最初の曲からトラック順に再生し、最後のジャンルの最後の曲を再生し終えて停止する。
また、ＣＰＵ１７は、図５に示す選曲画面Ｄ１＿３１を表示中に十字決定キー２７ｅが押圧された場合は、カーソル位置のアーティストの最初の曲からトラック順に再生し、最後のアーティストの最後の曲を再生し終えて停止する。
また、ＣＰＵ１７は、図５に示す選曲画面Ｄ１＿３２を表示中に十字決定キー２７ｅが押圧された場合は、カーソル位置の曲からトラック順に再生し、最後の曲を再生し終えて停止する。
【００５０】
また、ＣＰＵ１７は、図６に示す選曲画面Ｄ１＿４を表示中に十字決定キー２７ｅが押圧された場合は、カーソル位置のグループの最初の曲からトラック順に再生し、最後のグループの最後の曲を再生し終えて停止する。
また、ＣＰＵ１７は、図６に示す選曲画面Ｄ１＿４１を表示中に十字決定キー２７ｅが押圧された場合は、カーソル位置の曲からトラック順に再生し、最後の曲を再生し終えて停止する。
【００５１】
また、ＣＰＵ１７は、図６に示す選曲画面Ｄ１＿５を表示中に十字決定キー２７ｅが押圧された場合は、カーソル位置のプレイリストの最初の曲からトラック順に再生し、最後のプレイリストの最後の曲を再生し終えて停止する。
また、ＣＰＵ１７は、図６に示す選曲画面Ｄ１＿５１を表示中に十字決定キー２７ｅが押圧された場合は、カーソル位置の曲からトラック順に再生し、最後の曲を再生し終えて停止する。
また、ＣＰＵ１７は、図６に示す選曲画面Ｄ１＿５を表示中に十字決定キー２７ｅが押圧された場合は、カーソル位置のブックマークの最初の曲からトラック順に再生し、最後のブックマークの最後の曲を再生し終えて停止する。
また、ＣＰＵ１７は、図６に示す選曲画面Ｄ１＿５を表示中に十字決定キー２７ｅが押圧された場合は、カーソル位置の曲からトラック順に再生し、最後の曲を再生し終えて停止する。
【００５２】
〔１トラック再生（１Ｔｒａｃｋ）〕
ＣＰＵ１７は、再生モードとして１トラック再生が選択され、且つ選曲画面Ｄ１をＬＣＤパネル１４に表示中に、十字決定キー２７ｅが押圧されたことを検出すると、カーソル位置のトラックを一回再生する。
ＣＰＵ１７は、選択した項目を再生し、再生終了後停止する。
また、ＣＰＵ１７は、選択した項目がグループ（アーティスト、アルバム等）の場合は、項目に属するグループ内の最初のトラックを再生する。
【００５３】
ＣＰＵ１７は、トラック再生中、他の再生モードに切り替えられた場合は以下の処理を行う。
ＣＰＵ１７は、通常再生に切り替えられた場合は、再生中のトラックから下にある項目を次々に再生していき、最下位の項目を再生し終えると、停止する。
ＣＰＵ１７は、ユニット再生に切り替えられた場合は、再生中のトラックを含むトラック一覧グループをユニットとし、ユニット内の全曲を最後まで再生する。
ＣＰＵ１７は、トラックシャッフルに切り替えられた場合は、全曲をシャッフル再生する。
ＣＰＵ１７は、ユニットシャッフルに切り替えられた場合は、再生中のトラックを含むユニット内の全曲をシャッフル再生する。
【００５４】
ＣＰＵ１７は、図５に示す選曲画面Ｄ１＿１を表示中に十字決定キー２７ｅが押圧された場合は、カーソル位置のアーティストの最初のアルバムの最初のトラックを再生する。
ＣＰＵ１７は、図５に示す選曲画面Ｄ１＿１１を表示中に十字決定キー２７ｅが押圧された場合は、カーソル位置のアルバムの最初のトラックを再生する。
ＣＰＵ１７は、図５に示す選曲画面Ｄ１＿１２を表示中に十字決定キー２７ｅが押圧された場合は、カーソル位置のトラックを再生する。
【００５５】
ＣＰＵ１７は、図５に示す選曲画面Ｄ１＿２を表示中に十字決定キー２７ｅが押圧された場合は、カーソル位置のアルバムの最初のトラックを再生する。
ＣＰＵ１７は、図５に示す選曲画面Ｄ１＿１２を表示中に十字決定キー２７ｅが押圧された場合は、カーソル位置のトラックを再生する。
【００５６】
ＣＰＵ１７は、図５に示す選曲画面Ｄ１＿３を表示中に十字決定キー２７ｅが押圧された場合は、カーソル位置のジャンルの最初のアーティストの最初のトラックを再生する。
ＣＰＵ１７は、図５に示す選曲画面Ｄ１＿３１を表示中に十字決定キー２７ｅが押圧された場合は、カーソル位置のアーティストの最初のトラックを再生する。
ＣＰＵ１７は、図５に示す選曲画面Ｄ１＿３２を表示中に十字決定キー２７ｅが押圧された場合は、カーソル位置のトラックを再生する。
【００５７】
ＣＰＵ１７は、図６に示す選曲画面Ｄ１＿４を表示中に十字決定キー２７ｅが押圧された場合は、カーソル位置のグループの最初のトラックを再生する。
ＣＰＵ１７は、図６に示す選曲画面Ｄ１＿４１を表示中に十字決定キー２７ｅが押圧された場合は、カーソル位置のトラックを再生する。
【００５８】
ＣＰＵ１７は、図６に示す選曲画面Ｄ１＿５を表示中に十字決定キー２７ｅが押圧された場合は、カーソル位置のプレイリストの最初のトラックを再生する。
ＣＰＵ１７は、図６に示す選曲画面Ｄ１＿５１を表示中に十字決定キー２７ｅが押圧された場合は、カーソル位置のトラックを再生する。
ＣＰＵ１７は、図６に示す選曲画面Ｄ１＿５を表示中に十字決定キー２７ｅが押圧された場合は、カーソル位置のブックマークの最初のトラックを再生する。
ＣＰＵ１７は、図６に示す選曲画面Ｄ１＿５１を表示中に十字決定キー２７ｅが押圧された場合は、カーソル位置のトラックを再生する。
【００５９】
〔ユニット再生（Ｐｌａｙ  Ｕｎｉｔ）〕
ＣＰＵ１７は、再生モードとしてユニット再生が選択され、且つ選曲画面Ｄ１をＬＣＤパネル１４に表示中に、十字決定キー２７ｅが押圧されたことを検出すると、ユニット内のトラックを再生する。
ＣＰＵ１７は、選曲画面Ｄ１内のカーソルがある階層の全項目を再生範囲（ユニット）とし、カーソル位置の項目から再生を開始し、再生範囲を全て再生終了後停止する。
ＣＰＵ１７は、再生範囲の途中の項目から再生を開始した場合、最終項目の再生終了後は再生範囲の先頭項目を再生する。
ＣＰＵ１７は、選択した項目がグループ（アーティスト、アルバム等）の場合は、項目に属するグループ内の最初のトラックから再生する。
【００６０】
ＣＰＵ１７は、ユニット再生中、他の再生モードに切り替えた場合は以下の処理を行う。
すなわち、ＣＰＵ１７は、通常再生に切り替えられた場合は、再生中のトラックから下にある項目を次々に再生していき、最下位の項目を再生し終えると、停止する。
ＣＰＵ１７は、１トラック再生に切り替えられた場合は、再生中のトラックを再生し終わったら停止する。
ＣＰＵ１７は、トラックシャッフル再生に切り替えられた場合は、ユニット内の全曲をシャッフル再生する。
ＣＰＵ１７は、ユニットシャッフル再生に切り替えられた場合は、再生中のトラックを含むユニット内の全項目をシャッフル再生する。
【００６１】
ＣＰＵ１７は、図５に示す選曲画面Ｄ１＿１を表示中に十字決定キー２７ｅが押圧された場合は、全アーティストに属する全トラックをカーソル位置から順に再生する。
ＣＰＵ１７は、図５に示す選曲画面Ｄ１＿１１を表示中に十字決定キー２７ｅが押圧された場合は、選曲画面Ｄ１＿１で選択したアーティストの全アルバムに属する全トラックをカーソル位置から順に再生する。
ＣＰＵ１７は、図５に示す選曲画面Ｄ１＿１２を表示中に十字決定キー２７ｅが押圧された場合は、選曲画面Ｄ１＿１１で選択したアルバムの全トラックをカーソル位置から順に再生する。
【００６２】
ＣＰＵ１７は、図５に示す選曲画面Ｄ１＿２を表示中に十字決定キー２７ｅが押圧された場合は、全アルバムに属する全トラックをカーソル位置から順に再生する。
ＣＰＵ１７は、図５に示す選曲画面Ｄ１＿１２を表示中に十字決定キー２７ｅが押圧された場合は、選曲画面Ｄ１＿２で選択したアルバムの全トラックをカーソル位置から順に再生する。
【００６３】
ＣＰＵ１７は、図５に示す選曲画面Ｄ１＿３を表示中に十字決定キー２７ｅが押圧された場合は、全ジャンルに属する全トラックをカーソル位置から順に再生する。
ＣＰＵ１７は、図５に示す選曲画面Ｄ１＿３１を表示中に十字決定キー２７ｅが押圧された場合は、選曲画面Ｄ１＿３で選択したジャンルの全アーティストに属する全トラックをカーソル位置から順に再生する。
ＣＰＵ１７は、図５に示す選曲画面Ｄ１＿３２を表示中に十字決定キー２７ｅが押圧された場合は、選曲画面Ｄ１＿３１で選択したアーティストの全トラックをカーソル位置から順に再生する。
【００６４】
ＣＰＵ１７は、図６に示す選曲画面Ｄ１＿４を表示中に十字決定キー２７ｅが押圧された場合は、全グループに属する全トラックを順に再生する。
ＣＰＵ１７は、図６に示す選曲画面Ｄ１＿４１を表示中に十字決定キー２７ｅが押圧された場合は、選曲画面Ｄ１＿４で選択したグループの全トラックをカーソル位置から順に再生する。
【００６５】
ＣＰＵ１７は、図６に示す選曲画面Ｄ１＿５を表示中に十字決定キー２７ｅが押圧された場合は、全プレイリストに属する全トラックを順に再生する。
ＣＰＵ１７は、図６に示す選曲画面Ｄ１＿５１を表示中に十字決定キー２７ｅが押圧された場合は、選曲画面Ｄ１＿５で選択したプレイリストの全トラックをカーソル位置から順に再生する。
ＣＰＵ１７は、図６に示す選曲画面Ｄ１＿５を表示中に十字決定キー２７ｅが押圧された場合は、全ブックマークに属する全トラックを順に再生する。
ＣＰＵ１７は、図６に示す選曲画面Ｄ１＿５１を表示中に十字決定キー２７ｅが押圧された場合は、選曲画面Ｄ１＿５で選択したブックマークの全トラックをカーソル位置から順に再生する。
【００６６】
〔トラックシャッフル再生（Ｔｒａｃｋ  ＳＨＵＦ）〕
ＣＰＵ１７は、再生モードとしてトラックシャッフル再生が選択され、且つ選曲画面Ｄ１をＬＣＤパネル１４に表示中に、十字決定キー２７ｅが押圧されたことを検出すると、再生対象となったトラックを１回ずつランダムに再生する。
ＣＰＵ１７は、シャッフル再生での再生順番を毎回シャッフルし、前回と同じ再生順番にならないようにする。ただし、再生対象のトラックが少ない場合、前回と同じ再生順番にしてもよい。
ＣＰＵ１７は、シャッフル再生で再生終了したあと再生を開始した場合、およびリピートONのシャッフル再生の場合、次回のシャッフル再生での先頭トラックが前回の最終トラックと同じにならないようにする。ただし、再生対象トラックが少ない場合、前回の最終トラックと同じトラックにしてもよい。
ＣＰＵ１７は、再生中にシャッフル再生に切り替えたときは、再生中トラックを再生対象の先頭トラックとし、ｎ番目（ｎ＝再生対象トラック数）のトラックを最終トラックとする。
【００６７】
ＣＰＵ１７は、トラックシャッフル再生中、他の再生モードに切り替えた場合は以下の処理を行う。
すなわち、ＣＰＵ１７は、通常再生に切り替えられた場合は、再生中のトラックから下にある項目を次々に再生していき、最下位の項目を再生し終えると、停止する。
ＣＰＵ１７は、１トラック再生に切り替えられた場合は、再生中のトラックを再生し終わったら停止する。
ＣＰＵ１７は、ユニット再生に切り替えられた場合は、再生中のトラックを含むトラック一覧グループをユニットとしユニット内の全項目を順に再生する。
ＣＰＵ１７は、ユニットシャッフル再生に切り替えられた場合は、ユニット内の全曲をシャッフル再生する。
【００６８】
ＣＰＵ１７は、図５に示す選曲画面Ｄ１＿１を表示中に十字決定キー２７ｅが押圧された場合は、全アーティストに属する全トラックをシャッフル再生する。
ＣＰＵ１７は、図５に示す選曲画面Ｄ１＿１１を表示中に十字決定キー２７ｅが押圧された場合は、選曲画面Ｄ１＿１で選択したアーティストの全アルバムに属する全トラックをシャッフル再生する。
ＣＰＵ１７は、図５に示す選曲画面Ｄ１＿１２を表示中に十字決定キー２７ｅが押圧された場合は、選曲画面Ｄ１＿１１で選択したアルバムの全トラックをシャッフル再生する。
【００６９】
ＣＰＵ１７は、図５に示す選曲画面Ｄ１＿２を表示中に十字決定キー２７ｅが押圧された場合は、全アルバムに属する全トラックをシャッフル再生する。
ＣＰＵ１７は、図５に示す選曲画面Ｄ１＿１２を表示中に十字決定キー２７ｅが押圧された場合は、選曲画面Ｄ１＿２で選択したアルバムの全トラックをシャッフル再生する。
【００７０】
ＣＰＵ１７は、図５に示す選曲画面Ｄ１＿３を表示中に十字決定キー２７ｅが押圧された場合は、全ジャンルに属する全トラックをシャッフル再生する。
ＣＰＵ１７は、図５に示す選曲画面Ｄ１＿３１を表示中に十字決定キー２７ｅが押圧された場合は、選曲画面Ｄ１＿３で選択したジャンルの全アーティストに属する全トラックをシャッフル再生する。
ＣＰＵ１７は、図５に示す選曲画面Ｄ１＿３２を表示中に十字決定キー２７ｅが押圧された場合は、選曲画面Ｄ１＿３１で選択したアーティストの全トラックをシャッフル再生する。
【００７１】
ＣＰＵ１７は、図６に示す選曲画面Ｄ１＿４を表示中に十字決定キー２７ｅが押圧された場合は、全グループに属する全トラックをシャッフル再生する。
ＣＰＵ１７は、図６に示す選曲画面Ｄ１＿４１を表示中に十字決定キー２７ｅが押圧された場合は、選曲画面Ｄ１＿４で選択したグループの全トラックをシャッフル再生する。
【００７２】
ＣＰＵ１７は、図６に示す選曲画面Ｄ１＿５を表示中に十字決定キー２７ｅが押圧された場合は、全プレイリストに属する全トラックをシャッフル再生する。
ＣＰＵ１７は、図６に示す選曲画面Ｄ１＿５１を表示中に十字決定キー２７ｅが押圧された場合は、選曲画面Ｄ１＿５で選択したプレイリストの全トラックをシャッフル再生する。
ＣＰＵ１７は、図６に示す選曲画面Ｄ１＿５を表示中に十字決定キー２７ｅが押圧された場合は、全ブックマークに属する全トラックをシャッフル再生する。
ＣＰＵ１７は、図６に示す選曲画面Ｄ１＿５１を表示中に十字決定キー２７ｅが押圧された場合は、選曲画面Ｄ１＿５で選択したブックマークの全トラックをシャッフル再生する。
【００７３】
〔ユニットシャッフル再生（ＵｎｉｔＳＨＵＦ）〕
ＣＰＵ１７は、再生モードとしてユニットシャッフル再生が選択され、且つ選曲画面Ｄ１をＬＣＤパネル１４に表示中に、十字決定キー２７ｅが押圧されたことを検出すると、ユニット内の項目を１回ずつランダムに再生する。
ＣＰＵ１７は、カーソルがある階層の全項目を再生範囲（ユニット）とし、ユニット内の全項目をシャッフル再生する。
ＣＰＵ１７は、ユニット内の項目がグループの場合は、グループ内の再生順は通常再生と同じとする。
ＣＰＵ１７は、シャッフル再生での再生順番を毎回シャッフルし、前回と同じ再生順番にならないようにする。ただし、再生対象の項目が少ない場合、前回と同じ再生順番にしえもよい。
ＣＰＵ１７は、シャッフル再生で再生エンドしたあと再生を開始した場合、およびリピートONのシャッフル再生の場合、次回のシャッフル再生での先頭項目を前回の最終項目と同じにならないようにする。ただし、再生対象項目が少ない場合、前回の最終項目と同じ項目にしてもよい。
ＣＰＵ１７は、再生中にシャッフル再生に切り替えたときは、再生中項目を再生対象の先頭項目とし、ｎ番目（ｎ＝再生対象項目数）の項目を最終項目とする。
【００７４】
ＣＰＵ１７は、ユニットシャッフル再生中、他の再生モードに切り替えた場合は以下の処理を行う。
すなわち、ＣＰＵ１７は、通常再生に切り替えられた場合は、再生中のトラックから下にある項目を次々に再生していき、最下位の項目を再生し終えると、停止する。
ＣＰＵ１７は、１トラック再生に切り替えられた場合は、再生中のトラックを再生し終わったら停止する。
ＣＰＵ１７は、ユニット再生に切り替えられた場合は、ユニット内の全曲を順に再生する。
ＣＰＵ１７は、トラックシャッフル再生に切り替えられた場合は、再生中のトラックを含むユニット内の全項目をシャッフル再生する。
【００７５】
ＣＰＵ１７は、図５に示す選曲画面Ｄ１＿１を表示中に十字決定キー２７ｅが押圧された場合は、アーティストに属する全てのアルバムとトラックを順に再生し、全アーティストをシャッフル再生する。
ＣＰＵ１７は、図５に示す選曲画面Ｄ１＿１１を表示中に十字決定キー２７ｅが押圧された場合は、選曲画面Ｄ１＿１で選択したアーティストのアルバムに属するの全てのトラックを順に再生し、アルバムをシャッフル再生する。
ＣＰＵ１７は、図５に示す選曲画面Ｄ１＿１２を表示中に十字決定キー２７ｅが押圧された場合は、選曲画面Ｄ１＿１１で選択したアルバム内の全トラックをシャッフル再生する。
【００７６】
ＣＰＵ１７は、図５に示す選曲画面Ｄ１＿２を表示中に十字決定キー２７ｅが押圧された場合は、アルバム内の全てのトラックを順に再生し、アルバムをシャッフル再生する。
ＣＰＵ１７は、図５に示す選曲画面Ｄ１＿１２を表示中に十字決定キー２７ｅが押圧された場合は、選曲画面Ｄ１＿２で選択したアルバム内の全トラックをシャッフル再生する。
【００７７】
ＣＰＵ１７は、図５に示す選曲画面Ｄ１＿３を表示中に十字決定キー２７ｅが押圧された場合は、ジャンルに属する全てのアーティストとトラックを順に再生し、ジャンルをシャッフル再生する。
ＣＰＵ１７は、図５に示す選曲画面Ｄ１＿３１を表示中に十字決定キー２７ｅが押圧された場合は、選曲画面Ｄ１＿３で選択したジャンルのアーティストに属する全てのトラックを順に再生し、アーティストをシャッフルして再生する。
ＣＰＵ１７は、図５に示す選曲画面Ｄ１＿３２を表示中に十字決定キー２７ｅが押圧された場合は、選曲画面Ｄ１＿３１で選択したアーティストの全トラックをシャッフル再生する。
【００７８】
ＣＰＵ１７は、図６に示す選曲画面Ｄ１＿４を表示中に十字決定キー２７ｅが押圧された場合は、グループ内の全てのトラックを順に再生し、グループをシャッフルして再生する。
ＣＰＵ１７は、図６に示す選曲画面Ｄ１＿４１を表示中に十字決定キー２７ｅが押圧された場合は、選曲画面Ｄ１＿４で選択したグループの全トラックをシャッフル再生する。
【００７９】
ＣＰＵ１７は、図６に示す選曲画面Ｄ１＿５を表示中に十字決定キー２７ｅが押圧された場合は、プレイリストに属するの全てのトラックを順に再生し、プレイリストをシャッフル再生する。
ＣＰＵ１７は、図６に示す選曲画面Ｄ１＿５１を表示中に十字決定キー２７ｅが押圧された場合は、選曲画面Ｄ１＿５で選択したプレイリストの全トラックをシャッフル再生する。
ＣＰＵ１７は、図６に示す選曲画面Ｄ１＿５を表示中に十字決定キー２７ｅが押圧された場合は、ブックマークに属する全てのトラックを順に再生し、ブックマークをシャッフル再生する。
ＣＰＵ１７は、図６に示す選曲画面Ｄ１＿５１を表示中に十字決定キー２７ｅが押圧された場合は、選曲画面Ｄ１＿５で選択したブックマークの全トラックをシャッフル再生する。
【００８０】
以下、図１に示すデータ処理装置１の動作例を説明する。
〔第１の動作例〕
当該動作例では、図２（Ａ）に示すＭＯＤＥキー２５が押圧された場合を説明する。
図９は、当該動作例を説明するためのフローチャートである。
ステップＳＴ１：
ＣＰＵ１７は、図１に示す入力デバイス１５からの操作信号を基に、図２（Ａ）に示すＭＯＤＥキー２５が押圧されたと判断すると、ステップＳＴ２に進み、そうでない場合はステップＳＴ１の処理を繰り返す。
ステップＳＴ２：
ＣＰＵ１７は、ステップＳＴ１でＭＯＤＥキー２５が押圧されたときに、ＬＣＤパネル１４に選曲画面Ｄ１が表示中であったか否かを判断し、表示中であったと判断した場合にステップＳＴ４に進み、表示中でなかったと判断した場合にステップＳＴ３に進む。
【００８１】
ステップＳＴ３：
ＣＰＵ１７は、デフォルトとして、例えば、図５に示す選曲画面Ｄ１＿１をＬＣＤパネル１４に表示する。
ステップＳＴ４：
ＣＰＵ１７は、ＬＣＤパネル１４に表示中の選曲画面Ｄ１が、第１階層の選曲画面Ｄ１＿１，Ｄ１＿２，Ｄ１＿３，Ｄ１＿４，Ｄ１＿５であるか否かを判断し、第１階層の選曲画面であると判断するとステップＳＴ５に進み、そうでない場合はステップＳＴ６に進む。
【００８２】
ステップＳＴ５：
ＣＰＵ１７は、第１階層の表示順が次の選曲画面Ｄ１をＬＣＤパネル１４に表示する。
第１階層の選曲画面Ｄ１の表示順は、例えば、図５および図６に示すように、選曲画面Ｄ１＿１，Ｄ１＿２，Ｄ１＿３，Ｄ１＿４，Ｄ１＿５の順である。
ステップＳＴ６：
ＣＰＵ１７は、ＬＣＤパネル１４に表示された選曲画面Ｄ１が第２あるいは第３階層の選曲画面Ｄ１である場合に、その上位の第１階層の選曲画面Ｄ１をＬＣＤパネル１４に表示する。
【００８３】
〔第２の動作例〕
当該動作例では、ＬＣＤパネル１４に選曲画面Ｄ１が表示されているときに、図２（Ｂ）に示す十字右キー２７ａあるいは十字左キー２７ｂが押圧された場合を説明する。
図１０は、当該動作例を説明するためのフローチャートである。
ステップＳＴ１１：
ＣＰＵ１７は、図１に示す入力デバイス１５からの操作信号を基に、図２（Ｂ）に示す十字右キー２７ａが押圧されたと判断すると、ステップＳＴ１２に進み、そうでない場合はステップＳＴ１４に進む。
ステップＳＴ１２：
ＣＰＵ１７は、表示中の選曲画面Ｄ１内のカーソルが位置する項目に対応した下層の選曲画面Ｄ１があるか否かを判断し、あると判断するとステップＳＴ１３に進み、ないと判断するとステップＳＴ１４に進む。
ステップＳＴ１３：
ＣＰＵ１７は、表示中の選曲画面Ｄ１内のカーソルが位置する項目に対応した下層の選曲画面Ｄ１をＬＣＤパネル１４に表示する。
【００８４】
ステップＳＴ１４：
ＣＰＵ１７は、図１に示す入力デバイス１５からの操作信号を基に、図２（Ｂ）に示す十字左キー２７ｂが押圧されたと判断すると、ステップＳＴ１５に進み、そうでない場合はステップＳＴ１１に戻る。
ステップＳＴ１５：
ＣＰＵ１７は、表示中の選曲画面Ｄ１に対応した上層の選曲画面Ｄ１があるか否かを判断し、あると判断するとステップＳＴ１６に進み、ないと判断するとステップＳＴ１１に戻る。
ステップＳＴ１６：
ＣＰＵ１７は、表示中の選曲画面Ｄ１に対応した上層の選曲画面Ｄ１をＬＣＤパネル１４に表示する。
【００８５】
〔第３の動作例〕
当該動作例では、ＬＣＤパネル１４に選曲画面Ｄ１が表示されているときに、図２（Ｂ）に示す十字決定キー２７ｅが押圧された（再生指示が出された）場合を説明する。
図１１および図１２は、当該動作例を説明するためのフローチャートである。
ステップＳＴ２１：
ＣＰＵ１７は、図１に示す入力デバイス１５からの操作信号を基に、図２（Ｂ）に示す十字決定キー２７ｅが押圧されたと判断すると、ステップＳＴ２２に進み、そうでない場合はステップＳＴ２１の処理を繰り返す。
ステップＳＴ２２：
ＣＰＵ１７は、選曲画面Ｄ１を表示中に、十字決定キー２７ｅが押圧されると、そのときに選曲画面Ｄ１に表示している項目に属するコンテンツデータを再生対象の候補とする。
ステップＳＴ２３：
ＣＰＵ１７は、前述した図８に示す再生モード選択画面Ｄ１０を用いて既に決定された再生モードを特定する。
ＣＰＵ１７は、上記特定した再生モードに基づいて、以下のステップにおいて、再生モードで規定された再生順序で、ＨＤＤ１３に記憶された楽曲データを選択して再生する。このとき、ＣＰＵ１７は、上記選択された楽曲データを図１に示すＨＤＤ１３から読み出して復号（デコード）し、これをオーディオ出力回路１８に出力し、オーディオ出力回路１８がオーディオデータに応じたオーディオ信号をヘッドフォン端子２１に出力する。
【００８６】
ステップＳＴ２４：
ＣＰＵ１７は、ステップＳＴ２３で特定された再生モードが「通常再生」であるか否かを判断し、「通常再生」であると判断するとステップＳＴ２５に進み、そうでない場合にステップＳＴ２６に進む。
ステップＳＴ２５：
ＣＰＵ１７は、上述した〔通常再生〕の欄で説明した再生処理を行う。
【００８７】
ステップＳＴ２６：
ＣＰＵ１７は、ステップＳＴ２３で特定された再生モードが「トラック再生」であるか否かを判断し、「トラック再生」であると判断するとステップＳＴ２７に進み、そうでない場合にステップＳＴ２８に進む。
ステップＳＴ２７：
ＣＰＵ１７は、上述した〔トラック再生〕の欄で説明した再生処理を行う。
【００８８】
ステップＳＴ２８：
ＣＰＵ１７は、ステップＳＴ２３で特定された再生モードが「ユニット再生」であるか否かを判断し、「ユニット再生」であると判断するとステップＳＴ２９に進み、そうでない場合にステップＳＴ３０に進む。
ステップＳＴ２９：
ＣＰＵ１７は、上述した〔ユニット再生〕の欄で説明した再生処理を行う。
【００８９】
ステップＳＴ３０：
ＣＰＵ１７は、ステップＳＴ２３で特定された再生モードが「トラックシャッフル再生」であるか否かを判断し、「トラックシャッフル再生」であると判断するとステップＳＴ３１に進み、そうでない場合にステップＳＴ３２に進む。
ステップＳＴ３１：
ＣＰＵ１７は、上述した〔トラックシャッフル再生〕の欄で説明した再生処理を行う。
【００９０】
ステップＳＴ３２：
ＣＰＵ１７は、ステップＳＴ２３で特定された再生モードが「ユニットシャッフル再生」であるか否かを判断し、「ユニットシャッフル再生」であると判断するとステップＳＴ３３に進み、そうでない場合にステップＳＴ２１に戻る。
ステップＳＴ３３：
ＣＰＵ１７は、上述した〔ユニットシャッフル再生〕の欄で説明した再生処理を行う。
【００９１】
なお、上述した実施形態において、再生画面Ｄ３内に何れの再生モードで再生中であるかを、例えば、図１３に示すアイコンを用いて表示してもよい。
図１３において、「本体」が図１に示すＬＣＤパネル１４に表示する場合を示し、「リモコン」が例えば、ヘッドフォンのコードに設けられたリモートコントローラのディスプレイに表示する場合を示している。
また、図１３において、リピート「Ｒｅｐｅａｔ」は、繰り返し再生を行うことを示している。
【００９２】
以上説明したように、データ処理装置１によれば、図５および図６等を用いて説明したように、図２（Ａ）に示すＭＯＤＥキー２５の押圧により、第１階層の選曲画面Ｄ１＿１〜Ｄ１＿５が切り替わり、十字右キー２７ｅの押圧により、第１階層の選曲画面Ｄ１から第２階層および第３階層の選曲画面Ｄ１に切り替わる。
従って、選曲画面Ｄ１の階層数を従来に比べて少なくしても、属性を基に分類した選曲画面を用いて楽曲データをユーザに選択させることができる。
これにより、選曲画面Ｄ１を切り替えるためのユーザの操作を簡単にでき、ユーザが簡単な操作で所望の楽曲データを選択して再生できる。
【００９３】
また、データ処理装置１によれば、第２および第３階層の選曲画面Ｄ１上でＭＯＤＥキー２５を押圧すると、その選曲画面Ｄ１に対応した第１階層の選曲画面Ｄ１に切り換える。これにより、ユーザが第１階層の選曲画面Ｄ１の属性を間違えた場合でも、簡単な操作で他の属性に係わる第１階層の選曲画面Ｄ１を再度選択できる。
【００９４】
また、データ処理装置１では、選曲画面Ｄ１を表示中に、十字決定キー２７ｅが押圧されると、そのときに選曲画面Ｄ１に表示している項目、並びに上記選択された再生モードに基づいて、ＨＤＤ１３に記憶された楽曲データを所定の再生順序で選択して再生する。  そのため、データ処理装置１は、ユーザが注目している選曲画面Ｄ１に対応した属性を持つ楽曲データを対象として、種々の再生モードで楽曲データを再生できる。
【００９５】
また、データ処理装置１によれば、再生モードとして、ユニットシャッフル再生を規定することで、選曲画面Ｄ１に表示されている項目自体をシャッフルする再生を実現できる。すなわち、項目はシャッフルされるが、項目に属する楽曲データの順番はシャッフルしない再生を実現できる。
【００９６】
本発明は上述した実施形態には限定されない。
上述した実施形態では、本発明を携帯型のオーディオ再生装置に適用した場合を例示したが、本発明はパーソナルコンピュータなどの携帯型以外の装置にも適用可能である。
また、上述した実施形態では、本発明のコンテンツデータとして、楽曲データなどのオーディオデータを例示したが、ビデオや写真などのイメージデータでもよい。
また、本発明において、コンテンツデータを記憶する記録手段として、図１に示すＨＤＤ１３の代わりに、ＭＤ（商標）などの光磁気記録媒体、ＣＤ−Ｒ(CD-recordable)やＤＶＤ−Ｒ(DVD-recordable) などの光記録媒体）、メモリースティック（商標）やＳＤカード（商標）などの半導体メモリなどを用いてもよい。
また、上述した実施形態では、データ処理装置１として携帯型のオーディオ再生装置を例示したが、データ処理装置１は、例えば、パーソナルコンピュータ、コンパクトディスクなどの光ディスク再生装置、光磁気ディスク再生装置などであってもよい。
また、図８に示す再生モード選択画面Ｄ１０は、例えば、ヘッドフォンのラインに接続されるリモートコントローラのディスプレイに表示する場合に、図１４に示すように、各項目を所定のキーの押圧に応じてトグル表示してもよい。
また、上述した実施形態では、ＣＰＵ１７は、図５および図６において、選曲画面Ｄ１＿１２，Ｄ１＿２１，Ｄ１＿３２，Ｄ１＿４１，Ｄ１＿５１を表示中に十字決定キー２７ｅが押圧された場合に再生画面Ｄ３に切り換えて再生を行う場合を例示したが、例えば、十字右キー２７ａが押圧された場合に再生画面Ｄ３に切り換えて再生を行ってもよい。
また、上述した実施形態では、第１階層の選曲画面はＤ１＿１〜Ｄ１＿５の５つであるが、一つ以上であればいくつでもよい。
また、上述した実施形態では、選曲画面Ｄ１の階層数は２ないし３階層になっているが、一つ以上れあればいくつでもよい。
【産業上の利用可能性】
【００９７】
本発明は、複数のコンテンツデータからその属性を基に所望のコンテンツデータを選択するシステムに適用可能である。
【図面の簡単な説明】
【００９８】
【図１】図１は、本発明の実施形態に係わるデータ処理装置の構成図である。
【図２】図２は、図１に示すデータ処理装置の外観を説明するための図である。
【図３】図３は、図１に示すＬＣＤパネルの画面遷移を説明するための図である。
【図４】図４は、図１にＬＣＤパネルに表示される各種の画面を説明するための図である。
【図５】図５は、図１に示すＬＣＤパネルに表示される選曲画面の遷移を説明するための図である。
【図６】図６は、図１に示すＬＣＤパネルに表示される選曲画面の遷移を説明するための図である。
【図７】図７は、図１に示すＬＣＤパネルに表示される選曲画面の遷移を説明するための図である。
【図８】図８は、図１に示すＬＣＤパネルに表示される再生モード選択画面を説明するための図である。
【図９】図９は、図２（Ａ）に示すＭＯＤＥキーが押圧されたデータ処理装置の動作例を説明するためのフローチャートである。
【図１０】図１０は、ＬＣＤパネルに選曲画面Ｄ１が表示されているときに、図２（Ｂ）に示す十字右キーあるいは十字左キーが押圧された場合のデータ処理装置の動作例を説明するためのフローチャートである。
【図１１】図１１は、ＬＣＤパネルに選曲画面Ｄ１が表示されているときに、図２（Ｂ）に示す十字決定キーが押圧された（再生指示が出された）場合を説明するためのフローチャートである。
【図１２】図１２は、ＬＣＤパネルに選曲画面Ｄ１が表示されているときに、図２（Ｂ）に示す十字決定キーが押圧された（再生指示が出された）場合を説明するための図１１の続きのフローチャートである。
【図１３】図１３は、ＬＣＤパネルの再生画面に表示される再生モードを示すアイコンを説明するための図である。
【図１４】図１４は、ヘッドフォンのラインに接続されるリモートコントローラのディスプレイに再生モード選択画面を表示する例を説明するための図である。
【符号の説明】
【００９９】
１…データ処理装置、１０…ＨＤＡ、１１…ＵＳＢインタフェース、１２…ＳＤＲＡＭ、１３…ＨＤＤ、１４…ＬＣＤパネル、１５…入力デバイス、１６…フラッシュメモリ、ＰＲＧ…プログラム、１８…オーディオ出力回路、２１…ヘッドフォン端子、２４…ＭＥＮＵキー、２５…ＭＯＤＥキー、２６…ＶＯＬＵＭキー、２７…十字キー、２７ａ…十字右キー、２７ｂ…十字左キー、２７ｃ…十字上キー、２７ｄ…十字下キー、２７ｅ…十字決定キー、２８…ＨＯＬＤキー
【図１】
2006018878.tif 000003
【図２】
2006018878.tif 000004
【図３】
2006018878.tif 000005
【図４】
2006018878.tif 000006
【図５】
2006018878.tif 000007
【図６】
2006018878.tif 000008
【図７】
2006018878.tif 000009
【図８】
2006018878.tif 000010
【図９】
2006018878.tif 000011
【図１０】
2006018878.tif 000012
【図１１】
2006018878.tif 000013
【図１２】
2006018878.tif 000014
【図１３】
2006018878.tif 000015
【図１４】
2006018878.tif 000016